(57)【要約】【課題】ボールペンチップ内の熱変色性インキを変色させることがない上に、ペン先保護部材を確実に取り外すことができ、且つ、製造コストを抑えることができるボールペンレフィルを提供する。【解決手段】ボールペンレフィル１は、ボールペンチップ２と、該ボールペンチップ２が前端部に設けられ且つ内部に熱変色性インキが収容されたインキ収容管５と、ペン先保護部材６とを備える。ペン先保護部材６は、長手方向にわたって同一の横断面形状を有し且つ長手方向に貫通された内孔６１を備える合成樹脂製のパイプよりなる。ボールペンチップ２が直円筒状の外面４４にペン先保護部材６の内孔６１の内面が嵌合され、ボールペンチップ２のボール３がペン先保護部材６の内孔６１の内部に露出される。【選択図】  図１
2020179630.tif 000002
【特許請求の範囲】
【請求項１】
前端にボールが回転可能に抱持されたボールペンチップと、該ボールペンチップが前端部に設けられ且つ内部に熱変色性インキが収容されたインキ収容管と、を備えたボールペンレフィルであって、長手方向にわたって同一の横断面形状を有し且つ長手方向に貫通された内孔を備える合成樹脂製のパイプよりなるペン先保護部材を備え、前記ボールペンチップが直円筒状の外面を備え、前記ボールペンチップの直円筒状の外面に前記ペン先保護部材の内孔の内面が嵌合され、前記ボールペンチップのボールが前記ペン先保護部材の内孔の内部に露出されてなることを特徴とするボールペンレフィル。
【請求項２】
前記ボールペンチップの直円筒状の外面に前記ペン先保護部材が嵌合された状態において、前記ボールペンチップの直円筒状の外面より前方に位置するペン先保護部材の長手方向の長さが１０ｍｍ以上である請求項１に記載のボールペンレフィル。
【請求項３】
前記ボールペンチップの外面から前記ペン先保護部材を抜き取る際の引き抜き荷重が、０．３ｋｇｆ未満である請求項１または２に記載のボールペンレフィル。
【請求項４】
前記ペン先保護部材が嵌合されるボールペンチップの前記直円筒状の外面の長手方向の長さが７ｍｍより小さい請求項１乃至３の何れかに記載のボールペンレフィル。
【請求項５】
前記ボールペンチップが前記インキ収容管に接続部材を介して取り付けられ、前記接続部材が不透明の合成樹脂により構成され、前記ペン先保護部材が透明または半透明の合成樹脂により構成される請求項１乃至４の何れかに記載のボールペンレフィル。
【請求項６】
前記ボールペンチップの直円筒状の外面に前記ペン先保護部材の内孔の内面が嵌合された状態のボールペンレフィルが合成樹脂製フィルムよりなる包装体に収容され、前記ボールペンレフィルの長手方向の長さが、前記包装体内部の長手方向の長さの８０％〜９５％に設定される請求項１乃至５の何れかに記載のボールペンレフィル。
【請求項７】
前記ペン先保護部材が、前記熱変色性インキの筆跡を摩擦しその際に生じる摩擦熱で該筆跡を熱変色可能な摩擦部材となる請求項１乃至６の何れかに記載のボールペンレフィル。
【発明の詳細な説明】
【技術分野】
【０００１】
本発明は、内部に熱変色性インキが収容されたボールペンレフィルに関する。
【背景技術】
【０００２】
従来、例えば、特許文献１には、加熱により変色する熱変色性インキを収容し、ボールペンチップ先端部に樹脂被膜を設けたボールペンレフィルの製造方法に関し、加熱溶融により樹脂被膜を付着させる際のボーペンチップ内のインキが変色することを解消するために、樹脂被膜を固着させた後、冷却する製造方法が記載されている。
【先行技術文献】
【特許文献】
【０００３】
【特許文献１】特開２０１１−２５６５５号公報
【発明の概要】
【発明が解決しようとする課題】
【０００４】
前記特許文献１のボールペンレフィルは、製造工程が増加し、製造コストが上昇する。また、前記特許文献１のボールペンレフィルは、樹脂被膜を確実に取り外すことができず、樹脂被膜の一部をボールペンチップに残すおそれがある。
【０００５】
本発明は、前記従来の本題点を解決するものであって、ボールペンチップ内の熱変色性インキを変色させることがない上に、ペン先保護部材を確実に取り外すことができ、且つ、製造コストを抑えることができるボールペンレフィルを提供しようとするものである。
【０００６】
尚、本発明で、「前」とは、ボールペンチップ側を指し、「後」とは、その反対側を指す。
【課題を解決するための手段】
【０００７】
本願の第１の発明は、前端にボール３が回転可能に抱持されたボールペンチップ２と、該ボールペンチップ２が前端部に設けられ且つ内部に熱変色性インキが収容されたインキ収容管５と、を備えたボールペンレフィルであって、長手方向にわたって同一の横断面形状を有し且つ長手方向に貫通された内孔６１を備える合成樹脂製のパイプよりなるペン先保護部材６を備え、前記ボールペンチップ２が直円筒状の外面４４を備え、前記ボールペンチップ２の直円筒状の外面４４に前記ペン先保護部材６の内孔６１の内面が嵌合され、前記ボールペンチップ２のボール３が前記ペン先保護部材６の内孔６１の内部に露出されてなることを要件とする。
【０００８】
前記第１の発明のボールペンレフィル１は、長手方向にわたって同一の横断面形状を有し且つ長手方向に貫通された内孔６１を備える合成樹脂製のパイプよりなるペン先保護部材６を備え、前記ボールペンチップ２が直円筒状の外面４４を備え、前記ボールペンチップ２の直円筒状の外面４４に前記ペン先保護部材６の内孔６１の内面が嵌合され、前記ボールペンチップ２のボール３が前記ペン先保護部材６の内孔６１の内部に露出されてなることにより（すなわち、ペン先保護用としてボールを被覆する被覆樹脂を用いず、前記合成樹脂製のストレート状のパイプを用いたことにより）、ボールペンチップ２内の熱変色性インキを変色させることがない上に、ペン先保護部材６を確実に取り外すことができ、且つ、製造コストを抑えることができる。尚、前記ボールペンチップ２がインキ収容管５の前端部に設けられる構成は、例えば、前記ボールペンチップ２がインキ収容管５に直接固着される構成、または前記ボールペンチップ２が接続部材等を介してインキ収容管５に固着される構成が挙げられる。
【０００９】
本願の第２の発明は、前記第１の発明のボールペンレフィルにおいて、前記ボールペンチップ２の直円筒状の外面４４に前記ペン先保護部材６が嵌合された状態において、前記ボールペンチップ２の直円筒状の外面４４より前方に位置するペン先保護部材６の長手方向の長さＡが１０ｍｍ以上であることを要件とする。
【００１０】
前記第２の発明のボールペンレフィル１は、前記ボールペンチップ２の直円筒状の外面４４に前記ペン先保護部材６が嵌合された状態において、前記ボールペンチップ２の直円筒状の外面４４より前方に位置するペン先保護部材６の長手方向の長さＡが１０ｍｍ以上（好ましくは１２ｍｍ以上）であることにより、ペン先保護部材６をボールペンレフィル本体から取り外す際に、ボールペンチップ２より前方のペン先保護部材６のみを指で確実に挟持でき、ペン先保護部材６とともにボールペンチップ２を誤ってボールペンレフィル本体から取り外すおそれがない。
【００１１】
もし、ボールペンチップ２の直円筒状の外面４４より前方に位置するペン先保護部材６の長手方向の長さが１０ｍｍより小さいと、ペン先保護部材６をボールペンレフィル本体から取り外す際に、ペン先保護部材６を介してボールペンチップ２を指で挟持して、ペン先保護部材６とともにボールペンチップ２をボールペンレフィル本体から誤って取り外すおそれがある。
【００１２】
本願の第３の発明は、前記第１または第２の発明のボールペンレフィルにおいて、前記ボールペンチップ２の外面から前記ペン先保護部材６を抜き取る際の引き抜き荷重が、０．３ｋｇｆ未満であることを要件とする。
【００１３】
前記第３の発明のボールペンレフィル１は、前記ボールペンチップ２の外面からペン先保護部材６を抜き取る際の引き抜き荷重が、０．３ｋｇｆ未満（好ましくは０．２ｋｇｆ未満）であることにより、ペン先保護部材６をボールペンレフィル本体から取り外す際に、ペン先保護部材６とともにボールペンチップ２をボールペンレフィル本体から誤って取り外すおそれがない。
【００１４】
本願の第４の発明は、前記第１乃至第３の発明の何れかのボールペンレフィルにおいて、前記ペン先保護部材６が嵌合されるボールペンチップ２の前記直円筒状の外面４４の長手方向の長さが、７ｍｍより小さいことを要件とする。
【００１５】
前記第４の発明のボールペンレフィル１は、前記ペン先保護部材６が嵌合されるボールペンチップ２の前記直円筒状の外面４４の長手方向の長さが、７ｍｍより小さいこと（好ましくは６ｍｍより小さいこと）により、ペン先保護部材６をボールペンレフィル本体から取り外す際に、ペン先保護部材６を介してボールペンチップ２を挟持し該ボールペンチップ２をボールペンレフィル本体から誤って取り外すおそれがない。
【００１６】
本願の第５の発明は、前記第１乃至第４の発明において、前記ボールペンチップ２が前記インキ収容管５に接続部材７を介して取り付けられ、前記接続部材７が不透明の合成樹脂により構成され、前記ペン先保護部材６が透明または半透明の合成樹脂により構成されることを要件とする。
【００１７】
前記第５の発明のボールペンレフィル１は、前記ボールペンチップ２が前記インキ収容管５に接続部材７を介して取り付けられ、前記接続部材７が不透明の合成樹脂により構成され、前記ペン先保護部材６が透明または半透明の合成樹脂により構成されることにより、目視により接続部材７とペン先保護部材６とを容易に識別できるため、ペン先保護部材６をボールペンレフィル本体から取り外す際に、誤って接続部材７を指で挟んで該接続部材７をインキ収容管５から抜き去るおそれがない。
【００１８】
本願の第６の発明は、前記第１乃至第５の発明において、前記ボールペンチップ２の直円筒状の外面４４に前記ペン先保護部材６の内孔６１の内面が嵌合された状態のボールペンレフィル１が合成樹脂製フィルムよりなる包装体９に収容され、前記ボールペンレフィル１の長手方向の長さＣが、前記包装体９内部の長手方向の長さＤの８０％〜９５％に設定されることを要件とする。
【００１９】
前記第６の発明のボールペンレフィル１は、ボールペンチップ２の直円筒状の外面４４に前記ペン先保護部材６の内孔６１の内面が嵌合された状態のボールペンレフィル１の長手方向の長さＣが、前記包装体９内部の長手方向の長さＤの８０％〜９５％に設定されることにより、包装体９の内部において、ペン先保護部材６がボールペンチップ２から外れることを防止できる。
【００２０】
本願の第７の発明は、前記第１乃至第６の発明において、前記ペン先保護部材６が、前記熱変色性インキの筆跡を摩擦しその際に生じる摩擦熱で該筆跡を熱変色可能な摩擦部材となることを要件とする。
【００２１】
前記第７の発明のボールペンレフィル１は、前記ペン先保護部材６が、前記熱変色性インキの筆跡を摩擦しその際に生じる摩擦熱で該筆跡を熱変色可能な摩擦部材となることにより、使用開始後、ユーザーがペン先保護部材６を廃棄することを抑え、廃棄物の削減に寄与する。
【発明の効果】
【００２２】
本発明のボールペンレフィルは、ボールペンチップ内の熱変色性インキを変色させることがない上に、ペン先保護部材を確実に取り外すことができ、且つ、製造コストを抑えることができる。
【図面の簡単な説明】
【００２３】
【図１】本発明の実施の形態の全体の正面図である。
【図２】図１の要部拡大縦断面図である。
【図３】図２の要部拡大縦断面図である。
【図４】図２のペン先保護部材をボールペンレフィル本体から取り外した状態の要部拡大縦断面図である。
【図５】図１のボールペンレフィルを包装体に収容した状態を示す正面図である。
【図６】熱変色性インキの変色挙動を示す説明図である。
【発明を実施するための形態】
【００２４】
本発明の実施の形態のボールペンレフィル１を図１乃至図５に示す。本実施の形態のボールペンレフィル１は、ボールペンチップ２と、該ボールペンチップ２の後部４２が固着された接続部材７と、該接続部材７の後部が固着されたインキ収容管５と、前記ボールペンチップ２の外面に嵌合されるペン先保護部材６とを備える。
【００２５】
・ボールペンチップ
ボールペンチップ２は、チップ本体４と、該チップ本体４の前端部に回転可能に抱持されるボール３とを備える。ボール３は、内向きの前端縁部４５と、その後方形成されたボール受け座４６との間で回転可能に抱持される。チップ本体４の内部には、後方から熱変色性インキを前端のボール３に供給するためのインキ流通孔４７が形成されている。
【００２６】
チップ本体４は、前部４１と、後部４２と、前部４１と後部４２との間に形成される段部４３とを備える。チップ本体４の前部４１は、前端部にボール３が抱持されるとともに前方に向かうに従い縮径する外面を備えた先細部と、その先細部より後方に一体に連設され、前後方向に一定の外径を有する直円筒状の外面４４と、備える。
【００２７】
チップ本体４の後部４２は、前部４１より小さい外径を有する直円筒状の外面４４を有する。チップ本体４の後部４２は、後述する接続部材７の取付孔７４に圧入固着される。チップ本体４の段部４３は、チップ本体４が接続部材７に固着された際、接続部材７の前端面に当接される。
【００２８】
チップ本体４は金属材料（例えばステンレス鋼）から形成される。ボール３は、超硬合金（例えばタングステンカーバイドの焼結体）から得られる。
【００２９】
・スプリング
チップ本体４の内部には、ボール３を常時前方に付勢するスプリング８が収容される。スプリング８は、前端がボール３後面に当接するロッド部８１と、該ロッド部８１の後端より後方に一体に連設されるコイル部８２とを備え、金属線材により形成される。スプリング８の後端は、取付孔７４後方の係止壁部に係止される。スプリング８により、非使用時にボール３が前端縁部４５の内面に圧接され、熱変色性インキの蒸発と外部からの空気の侵入を抑える
【００３０】
・接続部材
接続部材７は、合成樹脂（例えばポリプロピレン）の成形体からなる。接続部材７は、円筒状の前側筒部７１と、円筒状の後側筒部７２と、前側筒部７１と後側筒部７２との間に形成される鍔部７３とを備える。接続部材７の前側筒部７１は、円筒状の外面を備える。接続部材７の後側筒部７２は、インキ収容管５の前端開口部に圧入固着される。接続部材７の鍔部７３は、インキ収容管５の前端に当接される。
【００３１】
接続部材７の内部には、前端より開口する取付孔７４と、取付孔７４より後方に連設され、後端より開口するインキ供給孔７５が形成される。取付孔７４にチップ本体４の後部４２が圧入固着される。
【００３２】
接続部材７は、不透明（例えば、黒、青、赤、白等）に着色される。
【００３３】
・インキ収容管
インキ収容管５は、合成樹脂（例えばポリプロピレン）の円筒体であり、押出成形により得られる。インキ収容管５の内部には、熱変色性インキと、該熱変色性インキの後端に配置され且つ該熱変色性インキの消費に伴い前進する追従体（例えば高粘度流体）とが充填される。
【００３４】
・熱変色性インキ
熱変色性インキは、可逆熱変色性インキが好ましい。可逆熱変色性インキは、発色状態から加熱により消色する加熱消色し、発色状態または消色状態を互変的に特定温度域で記憶保持する色彩記憶保持する構成が採用される。
【００３５】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００３６】
本実施の形態では、図６に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図６において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００３７】
本実施の形態では、前記熱変色性インキの変色温度は、２５℃〜９５℃（好ましくは３６℃〜９５℃）に設定される。即ち、本実施の形態では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができる。
【００３８】
・ペン先保護部材
ペン先保護部材６は、長手方向にわたって同一の横断面形状を有し且つ長手方向に貫通された内孔６１を備え、合成樹脂（例えばポリプロピレン）の押出成形により得られる。ペン先保護部材６の内孔６１の内面に、長手方向に延びる突条や溝を設けることができる。ペン先保護部材６の外面に、長手方向に延びる突条や溝を設けることができる。ペン先保護部材６の側壁に長手方向及び径方向に貫通するスリットを設けることができる。ペン先保護部材６は、透明または半透明の合成樹脂により形成される。
【００３９】
本実施の形態では、ペン先保護部材６の長手方向の長さ（全長）は、１４ｍｍ以上に設定され、具体的には２０ｍｍに設定される。ボールペンチップ２の直円筒状の外面４４にペン先保護部材６が嵌合された状態において、ボールペンチップ２の直円筒状の外面４４より前方に位置するペン先保護部材６の長手方向の長さＡは、１０ｍｍ以上に設定され、具体的には１４．６ｍｍに設定される。ペン先保護部材６が嵌合されるボールペンチップ２の直円筒状の外面４４の長手方向の長さは、７ｍｍより小さく設定され、具体的には５．４ｍｍに設定される。
【００４０】
本実施の形態では、ボールペンチップ２の外面からペン先保護部材６を抜き取る際の引き抜き荷重は、ユーザーが使用開始する際にボールペンチップ２の外面からペン先保護部材６を抜き取るために必要な荷重であり、０．３ｋｇｆ未満に設定される。
【００４１】
また、ペン先保護部材６を、インキ収容管５に収容された熱変色性インキの筆跡を摩擦しその際に生じる摩擦熱で該筆跡を熱変色可能な摩擦部材とすることができる。その際、ペン先保護部材６は、弾性を有する合成樹脂（ゴム、エラストマー）により形成されることが好ましい。前記弾性を有する合成樹脂は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。前記弾性を有する合成樹脂は、高摩耗性の弾性材料（例えば、消しゴム等）ではなく、摩擦時に摩耗屑が生じない低摩耗性の弾性材料からなる。
【００４２】
また、ペン先保護部材６の長手方向の長さ（全長）は１４ｍｍ以上（好ましくは１８ｍｍ以上）にすることが好ましい。それにより、ペン先保護部材６の十分な長手方向の長さを有し、ボールペンチップ２から取り外したペン先保護部材６の一端部を指で確実に把持できると同時にペン先保護部材６の他端部を確実に露出させて摩擦部分とすることができ、ペン先保護部材６を単独の摩擦部材として十分に使用することができる。
【００４３】
ボールペンレフィル１は、１本または複数本が、包装体９の内部に収容されて販売される。
包装体９は、合成樹脂製の２枚のフィルム（正面フィルムと背面フィルム）を重ね合わせ、その周囲を接着または熱融着により封鎖し、内部に袋状の収容空間が形成される。合成樹脂製フィルムの材料としては、例えば、ポリプロピレン、ポリエチレン、ポリエステル等が挙げられる。包装体９のヘッダー部には、吊り下げ孔９１が形成される。
【００４４】
ペン先保護部材６がボールペンレフィル本体に装着された状態のボールペンレフィル１の長手方向の長さＣは、包装体９の内部の収容空間の長手方向の長さＤの８０％〜９５％（好ましくは、８５％〜９５％）に設定される。それにより、包装体９の内部でボールペンレフィル本体からペン先保護部材６が外れることを回避できるとともに、包装体９の内部へのボールペンレフィルの円滑な収容作業が維持される。
【００４５】
尚、本発明のボールペンレフィル１は、本体内に収容され且つ本体の前端よりボールペンチップ２が突出され、本体のボールペンチップ側にキャップが着脱自在に装着されるキャップ式ボールペン、本体内部に前後方向に移動可能に収容され、ボールペンチップが前端より出没可能な出没式ボールペンに用いられる。
【００４６】
本実施の形態のボールペンレフィル１は、長手方向にわたって同一の横断面形状を有し且つ長手方向に貫通された内孔６１を備える合成樹脂製のパイプよりなるペン先保護部材６を備え、ボールペンチップ２が直円筒状の外面４４を備え、ボールペンチップ２の直円筒状の外面４４にペン先保護部材６の内孔６１の内面が嵌合され、ボールペンチップ２のボール３がペン先保護部材６の内孔６１の内部に露出されてなることにより（すなわち、ペン先保護用としてボール被覆樹脂を用いず、前記合成樹脂製のストレート状のパイプを用いたことにより）、ボールペンチップ２内の熱変色性インキを変色させることがない上に、ペン先保護部材６を確実に取り外すことができ、且つ、製造コストを抑えることができる。
【００４７】
本実施の形態のボールペンレフィル１は、ボールペンチップ２の直円筒状の外面４４にペン先保護部材６が嵌合された状態において、ボールペンチップ２の直円筒状の外面４４より前方に位置するペン先保護部材６の長手方向の長さＡが１０ｍｍ以上（好ましくは１２ｍｍ以上）であることにより、ペン先保護部材６をボールペンレフィル本体から取り外す際に、ボールペンチップ２より前方のペン先保護部材６のみを指で確実に挟持でき、ペン先保護部材６とともにボールペンチップ２を誤ってボールペンレフィル本体から取り外すおそれがない。
【００４８】
本実施の形態のボールペンレフィル１は、ボールペンチップ２の外面からペン先保護部材６を抜き取る際の引き抜き荷重が、０．３ｋｇｆ未満であることにより、ペン先保護部材６をボールペンレフィル本体から取り外す際に、ペン先保護部材６とともにボールペンチップ２をボールペンレフィル本体から誤って取り外すおそれがない。
【００４９】
本実施の形態のボールペンレフィル１は、ペン先保護部材６が嵌合されるボールペンチップ２の直円筒状の外面４４の長手方向の長さが７ｍｍより小さいことにより、ペン先保護部材６をボールペンレフィル本体から取り外す際に、ペン先保護部材６を介してボールペンチップ２を挟持し該ボールペンチップ２をボールペンレフィル本体から誤って取り外すおそれがない。
【００５０】
本実施の形態のボールペンレフィル１は、ボールペンチップ２がインキ収容管５に接続部材７を介して取り付けられ、接続部材７が不透明の合成樹脂により構成され、ペン先保護部材６が透明または半透明の合成樹脂により構成されることにより、目視により接続部材７とペン先保護部材６とを容易に識別できるため、ペン先保護部材６をボールペンレフィル本体から取り外す際に、誤って接続部材７を指で挟んで該接続部材７をインキ収容管５から抜き去るおそれがない。
【００５１】
本実施の形態のボールペンレフィル１は、ボールペンチップ２の直円筒状の外面４４にペン先保護部材６の内孔６１の内面が嵌合された状態のボールペンレフィル１の長手方向の長さＣが、包装体９の内部の長手方向の長さＤの８０％〜９５％に設定されることにより、包装体９の内部において、ペン先保護部材６がボールペンチップ２から外れることを防止できる。
【００５２】
本実施の形態のボールペンレフィル１は、ペン先保護部材６が、熱変色性インキの筆跡を摩擦しその際に生じる摩擦熱で該筆跡を熱変色可能な摩擦部材となることにより、使用開始後、ユーザーがペン先保護部材６を廃棄することを抑え、廃棄物の削減に寄与する。
【符号の説明】
【００５３】
１  ボールペンレフィル
２  ボールペンチップ
３  ボール
４  チップ本体
４１  前部
４２  後部
４３  段部
４４  直円筒状の外面
４５  前端縁部
４６  ボール受け座
４７  インキ流通孔
５  インキ収容管
６  ペン先保護部材
６１  内孔
７  接続部材
７１  前側筒部
７２  後側筒部
７３  鍔部
７４  取付孔
７５  インキ供給孔
８  スプリング
８１  ロッド部
８２  コイル部
９  包装体
９１  吊り下げ孔
Ａ  ボールペンチップの直円筒状の外面より前方に位置するペン先保護部材の長手方向の長さ
Ｂ  ボールペンチップの直円筒状の外面の長手方向の長さ
Ｃ  ボールペンレフィルの長手方向の長さ
Ｄ  包装体内部の長手方向の長さ
【図１】
2020179630.tif 000003
【図２】
2020179630.tif 000004
【図３】
2020179630.tif 000005
【図４】
2020179630.tif 000006
【図５】
2020179630.tif 000007
【図６】
2020179630.tif 000008